(57)【要約】【課題】組立作業に面白みを付加することができる模型キットおよび模型キットパッケージを提供する。【解決手段】模型部品アセンブリ板から模型部品を取って模型を組立完成させる模型キットにおいて、模型部品を識別する部品識別表示部１ａに、キャラクタのシルエットを想起させる図柄５を部品番号と共に表示する。この場合、図柄５の概略を部品識別表示部１ａに打ち抜いて形成することや、部品識別表示部１ａの形状を図柄５の形状にすることで図柄５を部品識別表示部１ａに表示する。【選択図】          図１
0003154497.tif 000002
【実用新案登録請求の範囲】
【請求項１】
模型部品アセンブリ板から模型部品を取って模型を組立完成させる模型キットにおいて、
模型部品アセンブリ板に設けられた模型部品を識別する部品識別表示部に、絵柄又は図柄を表示する模型キット。
【請求項２】
前記絵柄又は図柄の概略を前記部品識別表示部に打ち抜いて形成する請求項１に記載の模型キット。
【請求項３】
前記部品識別表示部の形状を、前記絵柄又は図柄の形状にする請求項１又は請求項２に記載の模型キット。
【請求項４】
前記部品識別表示部に、前記模型部品の番号を表示する請求項１乃至３のいずれかに記載の模型キット。
【請求項５】
前記部品識別表示部に、前記模型部品アセンブリ板の構成素材を表示する請求項１乃至４のいずれかに記載の模型キット。
【請求項６】
前記絵柄又は図柄は、キャラクタのシルエットを想起させる絵柄又は図柄である請求項１乃至５に記載の模型キット。
【請求項７】
前記絵柄又は図柄は、前記模型部品を組立てた際の形状を予想させる絵柄又は図柄である請求項１乃至５のいずれかに記載の模型キット。
【請求項８】
請求項１乃至５のいずれかに記載の模型キットが２つ以上同梱された模型キットパッケージであって、
前記絵柄又は図柄は、その模型部品アセンブリ板の模型部品により組立完成される模型を識別可能にする絵柄又は図柄である模型キットパッケージ。
【考案の詳細な説明】
【技術分野】
【０００１】
本考案は、組立てを容易にした模型キットおよび模型キットパッケージに関するものである。
【背景技術】
【０００２】
プラスチック等からなる模型部品を組立てることで、自動車やロボット等の模型を完成させるための模型キットが知られている。この模型部品は、一枚又は複数枚の模型部品アセンブリ板のランナーに支持されている。この模型部品アセンブリ板のランナーには、模型部品それぞれに対応する番号を付した部品識別表示部が模型部品の近傍に設けられている。
そして、模型を組立てる際には、付属の組立説明書（以下、組立図という）の記載に従って、部品識別表示部に付された番号から必要なものを見つけ出し、ニッパ等の工具を用いて模型部品アセンブリ板から切り取って行うようにしている。
【０００３】
ところで、模型も複雑なものになると、多数の模型部品を用いるのが一般的であり、１つの模型キットに多数の模型部品アセンブリ板が同梱されている場合もある。さらに、ロボット等の模型であると、左右の腕部のように同様な形状の模型部品が複数存在する場合があり、左右間違いなく組立てるためには、組立図に記載されている模型部品の番号と、部品識別表示部に付された番号とを、その都度見比べながら、手際よく順序だてて組立てることが要求されることとなる。
【０００４】
ここで、従来の模型部品アセンブリ板について、図９を参照して説明する。
図９（ａ）は、模型部品アセンブリ板の概観図であり、図９（ｂ）は、この概観図の一部を拡大した図である。
図９（ａ）に示すように、模型部品アセンブリ板１０１は、当該模型部品アセンブリ板１０１の枠組みであるランナー１０３を介して、複数の模型部品１０５が一体成型されたものである。
【０００５】
各模型部品１０５の近傍には、図９（ｂ）に示すように、部品識別表示部１０７が設けられている。この部品識別表示部１０７には、模型部品１０５それぞれの部品番号が表示されている。なお、各模型部品１０５は、ランナー１０３と一体に接続しているゲート部１０９をニッパ等で切断することで模型部品アセンブリ板１０１から切り離される。
【先行技術文献】
【特許文献】
【０００６】
【特許文献１】特開昭６０−２４１４８１号公報
【考案の概要】
【考案が解決しようとする課題】
【０００７】
しかしながら、模型を組立てる際に、組立図に記載されている模型部品の番号と、部品識別表示部に付された部品番号とを見比べて確認する作業が繰り返されるため、組立作業が単調となり、面白みに欠けるという問題がある。
また、模型部品アセンブリ板には、多数の模型部品が支持されているので、部品識別表示部に付された部品番号だけを手がかりに、必要とする模型部品を見つけ出すのに時間がかかるという問題がある。
さらに、模型部品アセンブリ板から１個ずつ取った模型部品が模型のどの位置に組立てられるのかを、その都度組立図を参照して、確認して組立てる必要があり、手間がかかるという問題がある。
【０００８】
そこで、本発明は、上記問題点に解決するために、組立作業に面白みを付加することができる模型キットおよび模型キットパッケージを提供するものである。
さらに他の目的は、手間や時間をかけることなく容易に組立てることができる模型キットおよび模型キットパッケージを提供するものである。
【課題を解決するための手段】
【０００９】
本考案の模型キットは、模型部品アセンブリ板から模型部品を取って模型を組立完成させる模型キットにおいて、模型部品アセンブリ板に設けられた模型部品を識別する部品識別表示部に、絵柄又は図柄が表示されている。
【００１０】
更に本考案の模型キットは、絵柄又は図柄の概略を部品識別表示部に打ち抜いて形成することが好ましい。
【００１１】
また、本考案の模型キットは、部品識別表示部の形状を、絵柄又は図柄の形状とすることが好ましい。
【００１２】
そして、本考案の模型キットは部品識別表示部に、模型部品の番号を表示することが好ましい。
【００１３】
また、本考案の模型キットは部品識別表示部に、模型部品アセンブリ板の構成素材を表示することが好ましい。
【００１４】
また、本考案の模型キットは、絵柄又は図柄は、キャラクタのシルエットを想起させる絵柄又は図柄であることが好ましい。
【００１５】
また、本考案の模型キットは、絵柄又は図柄は、模型部品を組立てた際の形状を予想させる絵柄又は図柄であることが好ましい。
【００１６】
また、本考案の模型キットパッケージは、模型キットが２つ以上同梱された模型キットパッケージであって、絵柄又は図柄は、その模型部品アセンブリ板の模型部品により組立完成される模型を識別可能にする絵柄又は図柄である。
【考案の効果】
【００１７】
本考案によれば、組立作業に面白みを付加することができる模型キットおよび模型キットパッケージを提供することができる。また、本考案によれば手間や時間をかけることなく容易に組立てることができる模型キットおよび模型キットパッケージを提供することができる。
【図面の簡単な説明】
【００１８】
【図１】本考案における部品識別表示部にキャラクタを想起させる図柄を付加した例を示す図である（実施例１）。
【図２】本考案における部品識別表示部に組立てた際の形状を予想させる図柄を付加した例を示す図である（実施例２）。
【図３】本考案における部品識別表示部にその模型部品アセンブリ板の模型部品から組み立てられる模型を識別可能にする図柄を付加した例を示す図である（実施例３）。
【図４】本考案における部品識別表示部の形状を、キャラクタを想起させる図柄を示す形状に変形した例を示す図である（実施例４）。
【図５】本考案における部品識別表示部の形状を、組立てた際の形状を予想させる図柄を示す形状に変形した例を示す図である（実施例５）。
【図６】本考案における部品識別表示部の形状を、その模型部品アセンブリ板の模型部品から組み立てられる模型を識別可能にする図柄を示す形状に変形した例を示す図である（実施例６）。
【図７】部品識別表示部に、模型部品アセンブリ板の構成素材を表示した例を示す図である（実施例７）。
【図８】図柄の概略を打ち抜いて形成した例を示す図である（実施例８）。
【図９】従来の模型部品アセンブリ板を示した図である。
【考案を実施するための形態】
【００１９】
模型部品アセンブリ板において、各模型部品の近傍に設けられた部品識別表示部に部品番号以外の図柄を表示した。
【実施例１】
【００２０】
図１は、各模型部品の近傍に設けられた部品識別表示部を拡大して示した図である。図１（ａ）は従来の部品識別表示部１０７を示しており、図１（ｂ）と（ｃ）とが本考案の実施例を示した図である。
【００２１】
図１（ｂ）に示すように、部品識別表示部１は、ランナー３の枝部３ａと枝部３ｂとが交差する交差点を１つの頂点となす略四角形の形状に形成されている。  そして、この部品識別表示部１の縦横の大きさは、部品番号が小さくなりすぎて見えなくなることを防止するために、従来の部品識別表示部１０７よりも若干大きく形成されている。例えば、従来の部品識別表示部１０７が４．０ｍｍ×４．０ｍｍであるのに対し、本考案の部品識別表示部１は６．０ｍｍ×６．０ｍｍである。  
【００２２】
この部品識別表示部１には、絵柄又は図柄（以下、図柄と統一して記載する）が表示されている。この実施例では、キャラクタのシルエットを想起させる図柄５が表示されている。このキャラクタには、模型部品を組立てた完成品（図示せず）とは、無関係のものを採用している。この実施例では、完成品が「ロボット」（図示せず）であり、キャラクタは「猫」である。
【００２３】
この実施例では、部品識別表示部１に表示されている図柄５は、キャラクタのシルエットを想起させるものであるが、図柄は、後記する「模型部品を組立てた際の形状を予想させる図柄」、「複数のプラモデルを区別可能にする図柄」であってもよい。
【００２４】
また、図１（ｃ）に示すように、部品識別表示部１ａには、キャラクタのシルエットを想起させる図柄５と共に部品番号（この例では「５」）が表示されている。
【００２５】
また、この図柄５は、模型部品アセンブリ板を成型する際に、当該アセンブリ板の金型に予め彫りこまれることによって形成された（周囲が削り取られることによって形成された）ものであり、部品識別表示部１が平面に形成されているのに対し、部品番号と共に凸部（又は凹部）として形成されている。そして、図１（ｃ）に示したように、部品識別表示部１ａは、キャラクタのシルエットの中に、部品番号が納まるように形成されている。
【００２６】
このように、部品識別表示部１、１ａを構成することで、多数の模型部品アセンブリ板があり、模型部品を切り取る作業が何回も繰り返し行われたとしても、模型を組立てる製作者は、キャラクタのシルエットを目にすることで、単調な組立作業から一時でも開放され、模型の組立作業に面白みを持って取り組むことができる。
【実施例２】
【００２７】
図２は、組立て完成される模型がロボットの模型である場合に、各模型部品の近傍に設けられた部品識別表示部を拡大して示した図である。図２に示すように、部品識別表示部７は、ランナー３の枝部３ａと枝部３ｂとが交差する交差点を１つの頂点となす略四角形の形状に形成されている。
【００２８】
図２（ａ）に示すように、部品識別表示部７ａ（７）は、ロボットの腕部を模した図柄９ａ（９）を部品番号（この例では「６」）と共に表示したものである。また、図２（ｂ）に示すように、部品識別表示部７ｂ（７）は、ロボットの頭部を模した図柄９ｂ（９）を部品番号（この例では「７」）と共に表示したものである。図２（ｃ）に示すように、部品識別表示部７ｃ（７）は、ロボットの脚部を模した図柄９ｃ（９）を部品番号（この例では「８」）と共に表示したものである。この実施例では図柄９と共に部品番号を表示しているが、図柄９のみを表示してもよい。
【００２９】
また、この部品識別表示部７において、模型部品（図示せず）が、ロボットのどの部分であるかがわかるように、該当部分を強調して表示している。部品識別表示部７ａの場合、模型部品がロボットの腕部の前腕αに該当することが明確になり、部品識別表示部７ｂの場合、模型部品がロボットの頭部のアンテナβに該当することが明確になり、部品識別表示部７ｃの場合、模型部品がロボットの脚部の大腿γに該当することが明確になっている。
【００３０】
さらに、組立て完成される模型がロボットの模型であるため、左右の腕部と、左右の脚部とがあり、間違って組立ててしまうことを防止するために、部品識別表示部７においては、左側の腕部と脚部とに「Ｌ」と、右側の腕部と脚部とに「Ｒ」とそれぞれ表示するように形成されている。
【００３１】
このように、部品識別表示部７には、模型部品（図示せず）を組立てた際の形状を予想させる図柄９を部品番号（この例では「６」「７」「８」）と共に表示している。つまり、部品識別表示部７ａに表示されている番号「６」の模型部品は、ロボットの腕部の一部品であることが容易に予想でき、部品識別表示部７ｂに表示されている番号「７」の模型部品は、ロボットの顔部の一部品であることが容易に予想でき、部品識別表示部７ｃに表示されている番号「８」の模型部品は、ロボットの脚部の一部品であることが容易に予想できる。
【００３２】
そして、模型部品を組立てた際の形状を予想させる図柄９は、模型部品アセンブリ板を成型する際に、当該アセンブリ板の金型に予め彫りこまれることによって形成された（周囲が削り取られることによって形成された）ものであり、部品識別表示部７が平面に形成されているのに対し、部品番号と共に凸部（又は凹部）として形成されている。前記した強調して表示する前腕α、アンテナβ、大腿γが凸部の場合は、金型に彫りこむ溝幅を広くすることで形成できる。凹部の場合は、金型から削り取る部分を少なくすることで形成できる。
【００３３】
なお、この図２では、部品識別表示部７を構成する四角形の隅に、部品番号を表示しているが、図柄９の中に、部品番号が納まるように表示しても、或いは、四角形の略中央に表示してもよい。
【００３４】
このように、部品識別表示部７を構成することで、多数の模型部品アセンブリ板があった場合に、各模型部品アセンブリ板から切り取った模型部品を組立てた際の形状を予想することができ、切り取って組立てる際にその都度組立図を確認しなくてもいいので、模型を容易に組立てることができる。
【実施例３】
【００３５】
図３は、２つ以上の模型キットが同梱された模型キットパッケージにおける模型部品アセンブリ板において、各模型部品の近傍に設けられた部品識別表示部を拡大して示した図である。図３に示すように、部品識別表示部１１は、ランナー３の枝部３ａと枝部３ｂとが交差する交差点を１つの頂点となす略四角形の形状に形成されている。
【００３６】
この実施例３は、３個の模型（戦車、戦闘機、潜水艦）が組み立てられる３種の模型キットが、一つの模型キットパッケージ（例えば、近代兵器セット）に同梱されている場合に、部品識別表示部１１に、その模型部品アセンブリ板の模型部品から組み立てられる模型を識別可能にする図柄１３を表示したものである。
【００３７】
すなわち、図３（ａ）に示すように、部品識別表示部１１ａ（１１）は、戦車の模型を示す図柄１３ａ（１３）を部品番号（この例では「９」）と共に表示している。また、図３（ｂ）に示すように、部品識別表示部１１ｂ（１１）は、戦闘機の模型を示す図柄１３ｂ（１３）を部品番号（この例では「１０」）と共に表示している。さらに、図３（ｃ）に示すように、部品識別表示部１１ｃ（１１）に潜水艦の模型を示す図柄１３ｃ（１３）を部品番号（この例では「１１」）と共に表示している。なお、この実施例では、図柄１３と共に部品番号を表示しているが、図柄１３のみを表示してもよい。
【００３８】
このように、部品識別表示部１１を構成することで、一つのパッケージに複数の模型キットが同梱されている場合でも、各模型部品がどの模型の部品であるかが、当該模型部品を切り取る際に確認することができるので、模型部品を切り取るたびに組立図を確認する必要が無くなり、手間をかけることなく、容易に模型を組立てることができる。
【実施例４】
【００３９】
図４は、部品識別表示部の形状を、図１に示したキャラクタのシルエットの形状にした例を示す図である。
この図４に示すように、部品識別表示部１５は、キャラクタのシルエットの形状に形成されており、部品番号（この例では「５」）が略中央に表示されている。
【００４０】
このように、部品識別表示部１５を構成することで、模型を組立てる製作者は、キャラクタのシルエットを目にすることで、単調な組立作業から一時でも開放され、模型の組立作業に面白みを持って取り組むことができる。
【実施例５】
【００４１】
図５は、部品識別表示部の形状を、図２に示した、組立てた際の形状を予想させる形状にした例を示す図である。
この図５（ａ）に示すように、部品識別表示部１７ａ（１７）は、ロボットの腕部の形状に形成されており、部品番号（この例では「６」）が前腕部分に表示されている。また、図５（ｂ）に示すように、部品識別表示部１７ｂ（１７）は、ロボットの頭部の形状に形成されており、部品番号（この例では「７」）がロボットの額部分に表示されている。さらに、図５（ｃ）に示すように、部品識別表示部１７ｃは、ロボットの脚部の形状に形成されており、部品番号（この例では「８」）がロボットの下肢部分に表示されている。
【００４２】
このように、部品識別表示部１７を構成することで、各模型部品アセンブリ板から切り取った模型部品を組立てた際の形状を予想することができ、切り取って組立てる際にその都度組立図を確認しなくてもいいので、模型を容易に組立てることができる。
【実施例６】
【００４３】
図６は、部品識別表示部の形状を、図３に示した複数の模型の形状にした例を示す図である。
この図６（ａ）に示すように、部品識別表示部１９ａ（１９）は、戦車の形状に形成されており、部品番号（この例では「９」）が略中央に表示されている。また、図６（ｂ）に示すように、部品識別表示部１９ｂ（１９）は、戦闘機の形状に形成されており、部品番号（この例では「１０」）が略中央に表示されている。さらに、図６（ｃ）に示すように、部品識別表示部１９ｃ（１９）は、潜水艦の形状に形成されており、部品番号（この例では「１１」）が略中央に表示されている。
【００４４】
このように、部品識別表示部１９を構成することで、一つのパッケージに複数の模型キットが同梱されている場合でも、各模型部品がどの模型の部品であるかが、当該模型部品を切り取る際に確認することができるので、模型部品を切り取るたびに組立図を確認する必要が無くなり、手間をかけることなく、容易に模型を組立てることができる。
【実施例７】
【００４５】
図７は、部品識別表示部に模型部品アセンブリ板の製品素材を示した図である。この図７に示したように、部品識別表示部２１には、部品番号と共に製品素材（構成素材）を示す「ＰＳ」（ポリスチレン）が表示されている。なお、その他の製品材料として、「ＰＥ」（ポリエチレン）、「ＰＰ」（ポリプロピレン）等が挙げられる。
【００４６】
このように、部品識別表示部２１を構成することで、製品素材ごとの分別廃棄が容易に行うことができる。特に、模型部品を模型部品アセンブリ板から切り取った際に、模型部品に微小なゲート部が結合している場合に、模型製作者は、切り取る直前に確認した部品識別表示部２１に製品素材が表示されているので、切り取った直後、この微小なゲート部を意識して分別廃棄することができる。
【００４７】
なお、この図７では、図示していないが、この製品素材の表示を、図１から図６に示した部品識別表示部や後記する図８の部品識別表示部２３に適用してもよい。
【実施例８】
【００４８】
図８は、部品識別表示部にキャラクタのシルエットを想起する図柄を打ち抜いて形成した例を示す図である。
この図８に示したように、部品識別表示部２３は、キャラクタ（この例では「猫」）のシルエットの概略が打ち抜いて形成されており、このシルエットの中央に部品番号（この例では「５」）が表示されている。
【００４９】
このように、部品識別表示部２３を構成することで、模型を組立てる製作者は、キャラクタのシルエットを目にすることで、単調な組立作業から一時でも開放され、模型の組立作業に面白みを持って取り組むことができる。
【産業上の利用可能性】
【００５０】
模型部品の番号を表示する部品識別表示部（番号プレート）がある模型であれば、製品素材はプラスチックに限定されず、木製のものや紙製のものに適用することができる。
【符号の説明】
【００５１】
１、１ａ、７、１１、１５、１７、１９、２１、２３  部品識別表示部
３  ランナー
５、９、１３  図柄
【図１】
0003154497.tif 000003
【図２】
0003154497.tif 000004
【図３】
0003154497.tif 000005
【図４】
0003154497.tif 000006
【図５】
0003154497.tif 000007
【図６】
0003154497.tif 000008
【図７】
0003154497.tif 000009
【図８】
0003154497.tif 000010
【図９】
0003154497.tif 000011
【手続補正書】
【提出日】平成21年8月17日(2009.8.17)
【手続補正１】
【補正対象書類名】実用新案登録請求の範囲
【補正対象項目名】全文
【補正方法】変更
【補正の内容】
【実用新案登録請求の範囲】
【請求項１】
模型部品アセンブリ板から模型部品を取って模型を組立完成させる模型キットにおいて、
模型部品アセンブリ板に設けられた模型部品を識別する部品識別表示部に、絵柄又は図柄を表示する模型キット。
【請求項２】
前記絵柄又は図柄の概略を前記部品識別表示部に打ち抜いて形成する請求項１に記載の模型キット。
【請求項３】
前記部品識別表示部の形状を、前記絵柄又は図柄の形状にする請求項１又は請求項２に記載の模型キット。
【請求項４】
前記部品識別表示部に、前記模型部品の番号を表示する請求項１乃至３のいずれかに記載の模型キット。
【請求項５】
前記部品識別表示部に、前記模型部品アセンブリ板の構成素材を表示する請求項１乃至４のいずれかに記載の模型キット。
【請求項６】
前記絵柄又は図柄は、キャラクタのシルエットを想起させる絵柄又は図柄である請求項１乃至５のいずれかに記載の模型キット。
【請求項７】
前記絵柄又は図柄は、前記模型部品を組立てた際の形状を予想させる絵柄又は図柄である請求項１乃至５のいずれかに記載の模型キット。
【請求項８】
請求項１乃至５のいずれかに記載の模型キットが２つ以上同梱された模型キットパッケージであって、
前記絵柄又は図柄は、その模型部品アセンブリ板の模型部品により組立完成される模型を識別可能にする絵柄又は図柄である模型キットパッケージ。